(57)【要約】  ここに提示される例示的な実施形態は、ＲＡＮ輻輳ステータスのハンドリングのための、モビリティ管理ノード（１１０，１１１，１１５，１１０ａ，１１１ａ，１１５ａ）及び通信ノード（１０２，１０３，１０４，１１０ｂ，１１１ｂ，１１５ｂ）、並びにそれらにおける対応する方法を対象とする。ここに提示される例示的な実施形態は、効率的な態様で正確なＲＡＮ輻輳ステータスを提供する手段を可能にする。【選択図】図１
2016525826.tif 000002
【特許請求の範囲】
【請求項１】
無線アクセスノード（ＲＡＮ）輻輳ステータスハンドリングのための、モビリティ管理ノード（１１０，１１１，１１５，１１０ａ，１１１ａ，１１５ａ）における方法であって、
通信ノード（１０２，１０３，１０４，１１０ｂ，１１１ｂ，１１５ｂ）から、ＲＡＮノード（１０２，１０３，１０４）によりサービスされる無線デバイス（１０１）に関する、受信ＲＡＮ輻輳ステータスを含む通信信号を受信（１０）することと、
前記受信ＲＡＮ輻輳ステータスを、前記受信（１０）に先立って前記モビリティ管理ノード（１１０，１１１，１１５，１１０ａ，１１１ａ，１１５ａ）内に保存される保存ＲＡＮ輻輳ステータスと比較（１８）することと、
前記受信ＲＡＮ輻輳ステータスの輻輳レベルが前記保存ＲＡＮ輻輳ステータスの輻輳レベルとは異なる場合に、コアネットワークノード（１０５，１１３，１１４，１１７，１１９）又はＲＣＡＦ（RAN  Congestion  Awareness  Function）（１１６）へ、前記無線デバイスに目下サービスしているセル内の前記無線デバイス（１０１）に関連付けられるカレントＲＡＮ輻輳ステータスを転送（２０）することと、前記カレントＲＡＮ輻輳ステータスは、前記受信ＲＡＮ輻輳ステータス又は前記保存ＲＡＮ輻輳ステータスのいずれかであることと、
を含む方法。
【請求項２】
前記モビリティ管理ノード（１１０，１１１，１１５，１１０ａ，１１１ａ，１１５ａ）は、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信ノード（１０２，１０３，１０４，１１０ｂ，１１１ｂ，１１５ｂ）は、前のＧｎ／Ｇｐ  ＳＧＳＮ（１１１ｂ）、前のＭＭＥ（１１５ｂ）、又は前のＳ４−ＳＧＳＮ（１１０ｂ）であり、前記通信信号は、前記無線デバイス（１０１）によって開始されたルーティングエリア更新又はトラッキングエリア更新の手続中に受信されるコンテキスト応答であり、前記受信ＲＡＮ輻輳ステータスは、前記無線デバイス（１０１）に以前にサービスしていたセルの輻輳レベルに関連付けられ、前記カレントＲＡＮ輻輳ステータスは、前記保存ＲＡＮ輻輳ステータスであり、前記転送（１４）は、前記ルーティングエリア更新又は前記トラッキングエリア更新の完了後においてサービス要求中に生じ、前記方法はさらに、
前記受信ＲＡＮ輻輳ステータスを前記モビリティ管理ノード（１１０ａ，１１１ａ，１１５ａ）内に記憶（１２）すること、
を含む、請求項１の方法。
【請求項３】
前記通信ノード（１０２，１０３，１０４，１１０ｂ，１１１ｂ，１１５ｂ）は、前記無線デバイス（１０１）にサービスする前記ＲＡＮノード（１０２，１０３，１０４）であり、前記モビリティ管理ノード（１１０，１１０ａ，１１１，１１１ａ，１１５，１１５ａ）は、Ｇｎ／Ｇｐ  ＳＧＳＮ（Gn/Gp  Serving  General  Packet  Radio  Service  Support  Node）（１１１，１１１ａ）若しくはＳ４−ＳＧＳＮ（１１０，１１０ａ）、又はＭＭＥ（Mobility  Management  Entity）（１１５，１１５ａ）であり、前記通信信号は、サービス要求であり、前記カレントＲＡＮ輻輳ステータスは、前記受信ＲＡＮ輻輳ステータスであり、前記方法はさらに、
前記受信ＲＡＮ輻輳ステータスを前記モビリティ管理ノード（１１０，１１０ａ，１１１，１１１ａ，１１５，１１５ａ）内に記憶（１４）すること
を含む、請求項１の方法。
【請求項４】
前記通信ノード（１０２，１０３，１０４，１１０ｂ，１１１ｂ，１１５ｂ）は、ＲＡＮノード（１０２，１０３，１０４）であり、前記モビリティ管理ノードは、Ｇｎ／Ｇｐ  ＳＧＳＮ（Gn/Gp  Serving  General  Packet  Radio  Service  Support  Node）（１１１，１１１ａ）若しくはＳ４−ＳＧＳＮ（１１０，１１０ａ）、又はＭＭＥ（Mobility  Management  Entity）（１１５，１１５ａ）であり、前記通信信号は、前記無線デバイス（１０１）が接続状態にある間における前記ＲＡＮ輻輳ステータスの通知であり、前記カレントＲＡＮ輻輳ステータスは、前記受信ＲＡＮ輻輳ステータスであり、前記方法はさらに、
前記受信ＲＡＮ輻輳ステータスを前記モビリティ管理ノード（１１０，１１１，１１０ａ，１１１ａ）内に記憶（１６）すること
を含む、請求項１の方法。
【請求項５】
前記通信信号は、前記無線デバイス（１０１）のモビリティ手続中に受信され、前記無線デバイスは、既に接続状態にあり、前記通信ノード（１０２，１０３，１０４，１１０ｂ，１１１ｂ，１１５ｂ）は、前のＧｎ／Ｇｐ  ＳＧＳＮ（Gn/Gp  Serving  General  Packet  Radio  Service  Support  Node）（１１１ｂ）、前のＭＭＥ（Mobility  Management  Entity）（１１５ｂ）、又は前のＳ４−ＳＧＳＮ（１１０ｂ）であり、前記モビリティ管理ノードは、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記カレントＲＡＮ輻輳ステータスは、前記保存ＲＡＮ輻輳ステータスである、請求項１の方法。
【請求項６】
前記受信ＲＡＮ輻輳ステータスは非輻輳状態を示し及び前記保存ＲＡＮ輻輳ステータスは輻輳状態を示し、又は、前記受信ＲＡＮ輻輳ステータスは輻輳状態を示し及び前記保存ＲＡＮ輻輳ステータスは非輻輳状態若しくは輻輳状態を示す、請求項１〜５のいずれかの方法。
【請求項７】
無線アクセスノード（ＲＡＮ）輻輳ハンドリングのためのモビリティ管理ノード（１１０，１１１，１１５，１１０ａ，１１１ａ，１１５ａ）であって、
通信ノード（１０２，１０３，１０４，１１０ｂ，１１１ｂ，１１５ｂ）から、ＲＡＮノード（１０２，１０３，１０４）によりサービスされる無線デバイス（１０１）に関する、受信ＲＡＮ輻輳ステータスを含む通信信号を受信するように構成される受信機（４１０）と、
前記受信ＲＡＮ輻輳ステータスを、前記通信信号の前記受信に先立って前記モビリティ管理ノード（１１０，１１１，１１５，１１０ａ，１１１ａ，１１５ａ）内に保存される保存ＲＡＮ輻輳ステータスと比較するように構成される処理回路（４２０）と、
前記受信ＲＡＮ輻輳ステータスの輻輳レベルが前記保存ＲＡＮ輻輳ステータスの輻輳レベルとは異なる場合に、コアネットワークノード（１０５，１１３，１１４，１１７，１１９）又はＲＣＡＦ（RAN  Congestion  Awareness  Function）（１１６）へ、前記無線デバイスに目下サービスしているセル内の前記無線デバイス（１０１）に関連付けられるカレントＲＡＮ輻輳ステータスを転送するように構成される送信機（４１１）と、
を含み、
前記カレントＲＡＮ輻輳ステータスは、前記受信ＲＡＮ輻輳ステータス又は前記保存ＲＡＮ輻輳ステータスのいずれかである、
モビリティ管理ノード（１１０，１１１，１１５，１１０ａ，１１１ａ，１１５ａ）。
【請求項８】
前記モビリティ管理ノード（１１０，１１１，１１５，１１０ａ，１１１ａ，１１５ａ）は、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信ノード（１０２，１０３，１０４，１１０ｂ，１１１ｂ，１１５ｂ）は、前のＧｎ／Ｇｐ  ＳＧＳＮ（１１１ｂ）、前のＭＭＥ（１１５ｂ）、又は前のＳ４−ＳＧＳＮ（１１０ｂ）であり、前記通信信号は、前記無線デバイス（１０１）によって開始されたルーティングエリア更新又はトラッキングエリア更新の手続中に受信されるコンテキスト応答であり、前記受信ＲＡＮ輻輳ステータスは、前記無線デバイス（１０１）に以前にサービスしていたセルの輻輳レベルに関連付けられ、前記カレントＲＡＮ輻輳ステータスは、前記保存ＲＡＮ輻輳ステータスであり、前記送信機（４１１）は、前記ルーティングエリア更新又は前記トラッキングエリア更新の完了後においてサービス要求中に前記カレントＲＡＮ輻輳ステータスを転送するように構成され、前記処理回路（４２０）は、前記受信ＲＡＮ輻輳ステータスを前記モビリティ管理ノード（１１０ａ，１１１ａ，１１５ａ）内に記憶するようにさらに構成される、請求項７のモビリティ管理ノード（１１０，１１１，１１５，１１０ａ，１１１ａ，１１５ａ）。
【請求項９】
前記通信ノード（１０２，１０３，１０４，１１０ｂ，１１１ｂ，１１５ｂ）は、前記無線デバイス（１０１）にサービスする前記ＲＡＮノード（１０２，１０３，１０４）であり、前記モビリティ管理ノード（１１０，１１０ａ，１１１，１１１ａ，１１５，１１５ａ）は、Ｇｎ／Ｇｐ  ＳＧＳＮ（Gn/Gp  Serving  General  Packet  Radio  Service  Support  Node）（１１１，１１１ａ）若しくはＳ４−ＳＧＳＮ（１１０，１１０ａ）、又はＭＭＥ（Mobility  Management  Entity）（１１５，１１５ａ）であり、前記通信信号は、サービス要求であり、前記カレントＲＡＮ輻輳ステータスは、前記受信ＲＡＮ輻輳ステータスであり、前記処理回路（４２０）は、前記受信ＲＡＮ輻輳ステータスを前記モビリティ管理ノード（１１０，１１０ａ，１１１，１１１ａ，１１５，１１５ａ）内に記憶するようにさらに構成される、請求項７のモビリティ管理ノード（１１０，１１１，１１５，１１０ａ，１１１ａ，１１５ａ）。
【請求項１０】
前記通信ノード（１０２，１０３，１０４，１１０ｂ，１１１ｂ，１１５ｂ）は、ＲＡＮノード（１０２，１０３，１０４）であり、前記モビリティ管理ノードは、Ｇｎ／Ｇｐ  ＳＧＳＮ（Gn/Gp  Serving  General  Packet  Radio  Service  Support  Node）（１１１，１１１ａ）若しくはＳ４−ＳＧＳＮ（１１０，１１０ａ）、又はＭＭＥ（Mobility  Management  Entity）（１１５，１１５ａ）であり、前記通信信号は、前記無線デバイス（１０１）が接続状態にある間における前記ＲＡＮ輻輳ステータスの通知であり、前記カレントＲＡＮ輻輳ステータスは、前記受信ＲＡＮ輻輳ステータスであり、前記処理回路（４２０）は、前記受信ＲＡＮ輻輳ステータスを前記モビリティ管理ノード（１１０，１１１，１１０ａ，１１１ａ）内に記憶するようにさらに構成される、請求項７のモビリティ管理ノード（１１０，１１１，１１５，１１０ａ，１１１ａ，１１５ａ）。
【請求項１１】
前記通信信号は、前記無線デバイス（１０１）のモビリティ手続中に受信され、前記無線デバイスは、既に接続状態にあり、前記通信ノード（１０２，１０３，１０４，１１０ｂ，１１１ｂ，１１５ｂ）は、前のＧｎ／Ｇｐ  ＳＧＳＮ（Gn/Gp  Serving  General  Packet  Radio  Service  Support  Node）（１１１ｂ）、前のＭＭＥ（Mobility  Management  Entity）（１１５ｂ）、又は前のＳ４−ＳＧＳＮ（１１０ｂ）であり、前記モビリティ管理ノードは、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記カレントＲＡＮ輻輳ステータスは、前記保存ＲＡＮ輻輳ステータスである、請求項７のモビリティ管理ノード（１１０，１１１，１１５，１１０ａ，１１１ａ，１１５ａ）。
【請求項１２】
前記受信ＲＡＮ輻輳ステータスは非輻輳状態を示し及び前記保存ＲＡＮ輻輳ステータスは輻輳状態を示し、又は、前記受信ＲＡＮ輻輳ステータスは輻輳状態を示し及び前記保存ＲＡＮ輻輳ステータスは非輻輳状態若しくは輻輳状態を示す、請求項７〜１１のいずれかのモビリティ管理ノード（１１０，１１１，１１５，１１０ａ，１１１ａ，１１５ａ）。
【請求項１３】
無線アクセスノード（ＲＡＮ）輻輳ステータスハンドリングのための、通信ノード（１０２，１０３，１０４，１１０ｂ，１１１ｂ，１１５ｂ）における方法であって、
モビリティ管理ノード（１１０，１１１，１１５，１１０ａ，１１１ａ，１１５ａ）へ、ＲＡＮノード（１０２，１０３，１０４）によりサービスされる無線デバイス（１０１）に関する通信信号を送信（２２）することと、
前記通信信号は、無線デバイスモビリティ手続中に及び／又は前記無線デバイス（１０１）が或る時間ピリオドにわたって接続状態にあるときに前記モビリティ管理ノード（１１０，１１１，１１５，１１０ａ，１１１ａ，１１５ａ）内でＲＡＮ輻輳ステータスハンドリングのために利用されることと、
前記通信ノード（１０２，１０３，１０４，１１０ｂ，１１１ｂ，１１５ｂ）がＲＡＮノード（１０２，１０３，１０４）である場合、前記モビリティ管理ノード（１１０，１１１，１１５，１１０ａ，１１１ａ，１１５ａ）は、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）であることと、
を含む方法。
【請求項１４】
前記モビリティ管理ノード（１１０，１１１，１１５，１１０ａ，１１１ａ，１１５ａ）は、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信ノード（１０２，１０３，１０４，１１０ｂ，１１１ｂ，１１５ｂ）は、前のＧｎ／Ｇｐ  ＳＧＳＮ（１１１ｂ）、前のＭＭＥ（１１５ｂ）、又は前のＳ４−ＳＧＳＮ（１１０ｂ）であり、前記通信信号は、前記無線デバイス（１０１）によって開始されたルーティングエリア更新又はトラッキングエリア更新の手続中に送信されるコンテキスト応答であり、前記通信信号は、前記無線デバイス（１０１）に以前にサービスしていたセルの輻輳レベルに関連付けられるＲＡＮ輻輳ステータスを含む、請求項１３の方法。
【請求項１５】
前記通信ノード（１０２，１０３，１０４，１１０ｂ，１１１ｂ，１１５ｂ）は、前記無線デバイス（１０１）にサービスする前記ＲＡＮノード（１０２，１０３，１０４）であり、前記モビリティ管理ノード（１１０，１１０ａ，１１１，１１１ａ，１１５，１１５ａ）は、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）であり、前記通信信号は、サービス要求であり、前記通信信号は、前記無線デバイス（１０１）に目下サービスしているセルに関連付けられるＲＡＮ輻輳ステータスを含む、請求項１３の方法。
【請求項１６】
前記通信ノード（１０２，１０３，１０４，１１０ｂ，１１１ｂ，１１５ｂ）は、ＲＡＮノード（１０２，１０３，１０４）であり、前記モビリティ管理ノードは、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）であり、前記通信信号は、前記無線デバイス（１０１）が接続状態にある間における前記ＲＡＮ輻輳ステータスの通知であり、前記通信信号は、前記無線デバイス（１０１）に目下サービスしているセルに関連付けられるＲＡＮ輻輳ステータスを含む、請求項１３の方法。
【請求項１７】
前記通信信号は、前記無線デバイス（１０１）のモビリティ手続中に送信され、前記無線デバイスは、既に接続状態にあり、前記通信ノード（１０２，１０３，１０４，１１０ｂ，１１１ｂ，１１５ｂ）は、前のＧｎ／Ｇｐ  ＳＧＳＮ（Gn/Gp  Serving  General  Packet  Radio  Service  Support  Node）（１１１ｂ）、前のＭＭＥ（Mobility  Management  Entity）（１１５ｂ）、又は前のＳ４−ＳＧＳＮ（１１０ｂ）であり、前記モビリティ管理ノードは、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信信号は、前記無線デバイス（１０１）に以前にサービスしていたセルに関連付けられるＲＡＮ輻輳ステータスを含む、請求項１３の方法。
【請求項１８】
無線アクセスノード（ＲＡＮ）輻輳ステータスハンドリングのための通信ノード（１０２，１０３，１０４，１１０ｂ，１１１ｂ，１１５ｂ）であって、
モビリティ管理ノード（１１０，１１１，１１５，１１０ａ，１１１ａ，１１５ａ）へ、ＲＡＮノード（１０２，１０３，１０４）によりサービスされる無線デバイス（１０１）に関する通信信号を送信するように構成される送信機（５１１）、
を備え、前記通信信号は、無線デバイスモビリティ手続中に及び／又は前記無線デバイス（１０１）が或る時間ピリオドにわたって接続状態にあるときに前記モビリティ管理ノード（１１０，１１１，１１５，１１０ａ，１１１ａ，１１５ａ）内でＲＡＮ輻輳ステータスハンドリングのために利用され、前記通信ノード（１０２，１０３，１０４，１１０ｂ，１１１ｂ，１１５ｂ）がＲＡＮノード（１０２，１０３，１０４）である場合、前記モビリティ管理ノード（１１０，１１１，１１５，１１０ａ，１１１ａ，１１５ａ）は、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）である、
通信ノード（１０２，１０３，１０４，１１０ｂ，１１１ｂ，１１５ｂ）。
【請求項１９】
前記モビリティ管理ノード（１１０，１１１，１１５，１１０ａ，１１１ａ，１１５ａ）は、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信ノード（１０２，１０３，１０４，１１０ｂ，１１１ｂ，１１５ｂ）は、前のＧｎ／Ｇｐ  ＳＧＳＮ（１１１ｂ）、前のＭＭＥ（１１５ｂ）、又は前のＳ４−ＳＧＳＮ（１１０ｂ）であり、前記通信信号は、前記無線デバイス（１０１）によって開始されたルーティングエリア更新又はトラッキングエリア更新の手続中に送信されるコンテキスト応答であり、前記通信信号は、前記無線デバイス（１０１）に以前にサービスしていたセルの輻輳レベルに関連付けられるＲＡＮ輻輳ステータスを含む、請求項１８の通信ノード（１０２，１０３，１０４，１１０ｂ，１１１ｂ，１１５ｂ）。
【請求項２０】
前記通信ノード（１０２，１０３，１０４，１１０ｂ，１１１ｂ，１１５ｂ）は、前記無線デバイス（１０１）にサービスする前記ＲＡＮノード（１０２，１０３，１０４）であり、前記モビリティ管理ノード（１１０，１１０ａ，１１１，１１１ａ，１１５，１１５ａ）は、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）であり、前記通信信号は、サービス要求であり、前記通信信号は、前記無線デバイス（１０１）に目下サービスしているセルに関連付けられるＲＡＮ輻輳ステータスを含む、請求項１８の通信ノード（１０２，１０３，１０４，１１０ｂ，１１１ｂ，１１５ｂ）。
【請求項２１】
前記通信ノード（１０２，１０３，１０４，１１０ｂ，１１１ｂ，１１５ｂ）は、ＲＡＮノード（１０２，１０３，１０４）であり、前記モビリティ管理ノードは、Ｇｎ／Ｇｐ  ＳＧＳＮ（Gn/Gp  Serving  General  Packet  Radio  Service  Support  Node）（１１１，１１１ａ）、又はＳ４−ＳＧＳＮ（１１０，１１０ａ）であり、前記通信信号は、前記無線デバイス（１０１）が接続状態である間における前記ＲＡＮ輻輳ステータスの通知であり、前記通信信号は、前記無線デバイス（１０１）に目下サービスしているセルに関連付けられるＲＡＮ輻輳ステータスを含む、請求項１８の通信ノード（１０２，１０３，１０４，１１０ｂ，１１１ｂ，１１５ｂ）。
【請求項２２】
前記通信信号は、前記無線デバイス（１０１）のモビリティ手続中に送信され、前記無線デバイスは、既に接続状態にあり、前記通信ノード（１０２，１０３，１０４，１１０ｂ，１１１ｂ，１１５ｂ）は、前のＧｎ／Ｇｐ  ＳＧＳＮ（Gn/Gp  Serving  General  Packet  Radio  Service  Support  Node）（１１１ｂ）、前のＭＭＥ（Mobility  Management  Entity）（１１５ｂ）、又は前のＳ４−ＳＧＳＮ（１１０ｂ）であり、前記モビリティ管理ノードは、新たなＧｎ／Ｇｐ  ＳＧＳＮ（Gn/Gp  Serving  General  Packet  Radio  Service  Support  Node）（１１１ａ）、新たなＭＭＥ（Mobility  Management  Entity）（１１５ａ）、又は新たなＳ４−ＳＧＳＮ（１１０ａ）であり、前記通信信号は、前記無線デバイス（１０１）に以前にサービスしていたセルに関連付けられるＲＡＮ輻輳ステータスを含む、請求項１８の通信ノード（１０２，１０３，１０４，１１０ｂ，１１１ｂ，１１５ｂ）。
【発明の詳細な説明】
【技術分野】
【０００１】
ここで提示される例示的な実施形態は、無線アクセスノード（ＲＡＮ）輻輳ステータスハンドリングのための、モビリティ管理ノード及び通信ノード、並びにそれらにおける対応する方法を対象とする。
【背景技術】
【０００２】
無線通信ネットワークとも呼ばれる典型的なセルラーシステムにおいて、移動局及び／又はユーザ機器ユニットとしても知られる無線デバイスは、１つ以上のコアネットワークへ無線アクセスネットワーク（ＲＡＮ）を介して通信する。無線デバイスは、“セルラー”フォンとしても知られるモバイルフォン、及び、例えばモバイル終端といった無線ケイパビリティを有するラップトップなどの、移動局又はユーザ機器ユニットであってよく、よって例えば、無線アクセスネットワークとの間で音声及び／又はデータを通信するポータブルな、ポケット型の、手持ち型の、コンピュータ内蔵型の、又は車載型のモバイルデバイスであり得る。
【０００３】
無線アクセスネットワークは、複数のセルエリアへと分割される地理的なエリアをカバーし、各セルエリアは、基地局、例えば無線基地局（ＲＢＳ）によってサービスされる。無線基地局は、いくつかのネットワークにおいて、“ＮｏｄｅＢ”若しくは“Ｂノード”、又は“拡張ノードＢ”若しくは“ｅＮｏｄｅＢ”若しくは“ｅＮＢ”とも呼ばれ、本文書においては基地局という。セルは、基地局サイトにある無線基地局機器によって無線カバレッジを提供される地理的なエリアである。各セルは、ローカル無線エリア内のＩＤによって識別され、当該ＩＤは、セル内でブロードキャストされる。基地局は、当該基地局のレンジ内にあるユーザ機器ユニットと、無線周波数上で動作するエアインタフェース上で通信する。
【０００４】
無線アクセスネットワークのいくつかのバージョンにおいて、複数の基地局が、典型的には、例えば地上回線又はマイクロ波によって無線ネットワークコントローラ（ＲＮＣ）へ接続される。基地局コントローラ（ＢＳＣ）とも呼ばれることもある無線ネットワークコントローラは、そこへ接続される複数の基地局の種々のアクティビティを、管理し及び協調させる。無線ネットワークコントローラは、典型的には、１つ以上のコアネットワークへ接続される。
【０００５】
ＵＭＴＳ（Universal  Mobile  Telecommunications  System）は、ＧＳＭ（Global  System  for  Mobile  Communications）から進化した第３世代のモバイル通信システムであり、広帯域符号分割多重アクセス（ＷＣＤＭＡ）というアクセス技術に基づいて、改善されたモバイル通信サービスを提供することが意図される。ＵＴＲＡＮ（UMTS  Terrestrial  Radio  Access  Network）は、本質的に、ユーザ機器ユニット（ＵＥ）について広帯域符号分割多重アクセスを用いる無線アクセスネットワークである。第３世代パートナーシッププロジェクト（３ＧＰＰ）は、ＵＴＲＡＮ及びＧＳＭベースの無線アクセスネットワーク技術をさらに進化させることに取り組んできた。ＬＴＥ（Long  Term  Evolution）は、ＥＰＣ（Evolved  Packet  Core）と共に、３ＧＰＰファミリーへの最新の追加版である。
【０００６】
通信ネットワークにおいては、利用可能な無線リソースの限界に起因してＲＡＮ輻輳が生じる可能性があり、このＲＡＮ輻輳は、ユーザプレーンにおけるデータの転送に影響を及ぼす。ＲＡＮ輻輳を把握するために、ＲＡＮ輻輳ステータスが考慮され得る。
【発明の概要】
【発明が解決しようとする課題】
【０００７】
ＲＡＮ輻輳中の通信の管理においては、ネットワークノードによりＲＡＮ輻輳ステータスが利用され得る。ＲＡＮ輻輳ステータスは、ネットワーク又は無線デバイスにより開始され、かつ、当該無線デバイスがアイドルモードを出て当該ネットワークへ接続することにより生じる、サービス要求中に提供される。目下、モビリティ手続中にＲＡＮ輻輳ステータスを提供するための手段、又は、より長い時間ピリオドにわたってネットワークへ接続してきた無線デバイスについて、ＲＡＮ輻輳ステータスを更新するための手段は存在しない。
【０００８】
ここに提示される例示的な実施形態のうちの幾つかの少なくとも１つの例示的な目的は、様々なネットワーク状況についてのＲＡＮ輻輳ステータスを使用した、ＲＡＮ輻輳管理を提供することである。この例示的な目的は、ネットワークの種々のネットワーク状況についての更新されたＲＡＮ輻輳ステータスを提供することによって達成され得る。特に、無線デバイスのモビリティ手続中、及び／又は、無線デバイスが所定の時間ピリオドにわたってネットワークへ接続されてきたときである。ここに提示される例示的な実施形態の少なくとも１つの例示的な利点は、正確なＲＡＮ輻輳ステータス情報を提供する能力である。
【課題を解決するための手段】
【０００９】
従って、例示的な実施形態のうちの幾つかは、ＲＡＮ輻輳ステータスハンドリングのための、モビリティ管理ノードにおける方法を対象とする。当該モビリティ管理ノードは、現在の又は新たなＧｎ／Ｇｐ  ＳＧＳＮ、Ｓ４−ＳＧＳＮ、又はＭＭＥであり得る。当該方法は、通信ノードから、ＲＡＮノードによりサービスされる無線デバイスに関する、受信ＲＡＮ輻輳ステータスを含む通信信号を受信することを含む。当該通信ノードは、当該無線デバイスにサービスするＲＡＮノード、又は、前のＧｎ／Ｇｐ  ＳＧＳＮ、Ｓ４−ＳＧＳＮ、若しくはＭＭＥであり得る。当該方法はさらに、当該受信ＲＡＮ輻輳ステータスを、当該受信に先立って当該モビリティ管理ノード内に保存される保存ＲＡＮ輻輳ステータスと比較することを含む。当該方法はさらに、当該受信ＲＡＮ輻輳ステータスの輻輳レベルが当該保存ＲＡＮ輻輳ステータスの輻輳レベルとは異なる場合に、コアネットワークノード又はＲＣＡＦへ、当該無線デバイスに目下サービスしているセル内の当該無線デバイスに関連付けられるカレントＲＡＮ輻輳ステータスを転送することと、当該カレントＲＡＮ輻輳ステータスは、当該受信ＲＡＮ輻輳ステータス又は当該保存ＲＡＮ輻輳ステータスのいずれかであることと、を含む。
【００１０】
例示的な実施形態のうちの幾つかは、モビリティ管理ノードのＲＡＮ輻輳ハンドリングを対象とする。当該モビリティ管理ノードは、通信ノードから、ＲＡＮノードによりサービスされる無線デバイスに関する、受信ＲＡＮ輻輳ステータスを含む通信信号を受信するように構成される受信機を含む。当該モビリティ管理ノードはさらに、当該受信ＲＡＮ輻輳ステータスを、当該受信に先立って当該モビリティ管理ノード内に保存される保存ＲＡＮ輻輳ステータスと比較するように構成される処理回路を含む。当該モビリティ管理ノードはさらに、送信機を含む。当該受信ＲＡＮ輻輳ステータスの輻輳レベルが当該保存ＲＡＮ輻輳ステータスの輻輳レベルとは異なる場合に、当該送信機は、コアネットワークノード又はＲＣＡＦへ、当該無線デバイスに目下サービスしているセル内の当該無線デバイスに関連付けられるカレントＲＡＮ輻輳ステータスを転送するように構成され、当該カレントＲＡＮ輻輳ステータスは、当該受信ＲＡＮ輻輳ステータス又は当該保存ＲＡＮ輻輳ステータスのいずれかである。
【００１１】
例示的な実施形態のうちの幾つかは、ＲＡＮ輻輳ステータスハンドリングのための、通信ノードにおける方法を対象とする。当該方法は、モビリティ管理ノードへ、ＲＡＮノードによりサービスされる無線デバイスに関する通信信号を送信することを含む。当該通信信号は、無線デバイスモビリティ手続中に、及び／又は、当該無線デバイスが或る時間ピリオドにわたって接続状態にあるときに、モビリティ管理ノード内におけるＲＡＮ輻輳ステータスハンドリングのために利用される。当該通信ノードがＲＡＮノードである場合、当該モビリティ管理ノードは、現在の又は新たなＧｎ／Ｇｐ  ＳＧＳＮ又はＳ４−ＳＧＳＮである。
【００１２】
例示的な実施形態のうちの幾つかは、ＲＡＮ輻輳ステータスハンドリングのための通信ノードを対象とする。当該通信ノードは、モビリティ管理ノードへ、ＲＡＮノードによりサービスされる無線デバイスに関する通信信号を送信するように構成される送信機を含む。当該通信信号は、無線デバイスモビリティ手続中に、及び／又は、当該無線デバイスが或る時間ピリオドにわたって接続状態にあるときに、モビリティ管理ノード内におけるＲＡＮ輻輳ステータスハンドリングのために利用される。当該通信ノードがＲＡＮノードである場合、当該モビリティ管理ノードは、現在の又は新たなＧｎ／Ｇｐ  ＳＧＳＮ、又はＳ４−ＳＧＳＮである。
【００１３】
［定義］
３ＧＰＰ        3rd  Generation  Partnership  Project
ＡＦ            Application  Function
ＡＰ            Application  Protocol
ＡＲＰ          Allocation  and  Retention  Priority
ＣＮ            Core  network
ＣＳ            Circuit  Switched
ＣＳＧ          Closed  Subscriber  Group
ＤＬ            Downlink
ＤＲＸ          Discontinuous  Reception
ＥＣＭ          Evolved  Packet  System  Connection  Management
ＥＰＣ          Evolved  Packet  Core
ＥＰＳ          Evolved  Packet  System  
Ｅ−ＵＴＲＡＮ  Evolved  Universal  Terrestrial  Radio  Access  Network
ＧＥＲＡＮ      GSM/EDGE  Radio  Access  Network
ＧＧＳＮ        Gateway  GPRS  Support  Node
ＧＰＲＳ        General  Packet  Radio  Service
ＧＲＥ          Generic  Routing  Encapsulation
ＧＳＭ          Global  System  for  Mobile  communications
ＧＴＰ          GPRS  Tunnelling  Protocol
ＧＷ            Gateway
ＨＰＬＭＮ      Home  Public  Land  Mobile  Network
ＨＳＳ          Home  Subscriber  Server
ＩＤ            Identity/Identifier
ＩＥ            Information  Element
ＩＰ            Internet  Protocol
ＩＰ−ＣＡＮ    Internet  Protocol  Connectivity  Access  Network
ＩＭＥＩＳＶ    International  Mobile  Equipment  Identity  Software  Version
ＩＭＳ          Internet  Protocol  Multimedia  Subsystem
ＩＭＳＩ        International  Mobile  Subscriber  Identity
ＩＳＲ          Idle  state  Signalling  Reduction
ＬＲ            Location  Registration
ＬＳＣ          Location  Service
ＬＴＥ          Long-Term  Evolution
ＮＡＳ          Non-Access  Stratum
ＭＡＣ          Medium  Access  Control
ＭＥ            Mobile  Equipment
ＭＭ            Mobility  Management
ＭＭＥ          Mobility  Management  Entity
ＭＳＩＳＤＮ    Mobile  Station  International  Subscriber  Directory  Number
ＯＭＡ          Open  Mobile  Alliance
ＯＴＡ          Over  The  Air
Ｐ−ＴＭＳＩ    Packet  Temporary  Mobile  Subscriber  Identity
ＰＣＣ          Policy  Control  and  Charging
ＰＣＲＦ        Policy  Control  and  Charging  Rules  Function
ＰＤＰ          Packet  Data  Protocol
ＰＤＮ          Packet  Data  Network
ＰＤＵ          Protocol  Data  Unit
ＰＧＷ          PDN  Gateway
ＰＬＭＮ        Public  Land  Mobile  Network
ＰＳ            Packet  Switched
ＱＣＩ          QoS  Class  Identifier
ＱｏＳ          Quality  of  Service
ＲＡＩ          Routing  Area  Identity
ＲＡＮ          Radio  Access  Network
ＲＡＴ          Radio  Access  Type
ＲＡＵ          Routing  Area  Update
ＲＣＡＦ        RAN  Congestion  Awareness  Function
ＲＮＣ          Radio  Network  Controller
ＲＲＣ          Radio  Resource  Control
ＳＣＩ          Service  Class  Identifier
ＳＧＳＮ        Serving  GPRS  Support  Node
ＳＧＷ          Serving  Gate
ＳＩＲＩＧ      Service  Identification  for  RRC  Improvements  in  GERAN
ＴＡ            Tracking  Area
ＴＡＩ          Tracking  Area  Identity
ＴＡＵ          Tracking  Area  Update
ＴＦＴ          Traffic  Flow  Template
ＴＨＰ          Traffic  Handling  Priority
ＴＩＮ          Temporary  Identifier
ＴＭＳＩ        Temporary  Mobile  Subscriber  Identity
ＵＥ            User  equipment
ＵＩＣＣＩ      Universal  Integrated  Circuit  Car
ＵＬ            Uplink
ＵＬＲ          Update  Location  Request
ＵＭＴＳ        Universal  Mobile  Telecommunications  System
ＵＰＣＯＮ      User  plane  congestion
ＵＲＡ          UTRAN  Registration  Area
ＵＴＲＡＮ      Universal  Terrestrial  Radio  Access  Network
【図面の簡単な説明】
【００１４】
前述の内容は、同じ参照文字が異なる図にわたって同じ部分を指す添付の図面に例示される例示的な実施形態の、より特定的な以下の説明から、明らかになるであろう。これらの図面は必ずしも縮尺通りであるとは限らず、むしろ、例示的な実施形態を例示することに重点が置かれている。
【００１５】
【図１】図１は、無線ネットワークの例示図である。
【図２】図２は、例示的な実施形態のうちの幾つかによる、無線デバイスモビリティ手続中のＲＡＮ輻輳ステータス管理を描くメッセージフロー図である。
【図３】図３は、例示的な実施形態のうちの幾つかによる、無線デバイスモビリティ手続中のＲＡＮ輻輳ステータス管理を描くメッセージフロー図である。
【図４】図４は、例示的な実施形態のうちの幾つかによる、サービス要求中のＲＡＮ輻輳ステータス管理を描くメッセージフロー図である。
【図５】図５は、例示的な実施形態のうちの幾つかによる、サービス要求中のＲＡＮ輻輳ステータス管理を描くメッセージフロー図である。
【図６】図６は、例示的な実施形態のうちの幾つかによる、ダイナミックＲＡＮ輻輳ステータス管理を描くメッセージフロー図である。
【図７】図７は、例示的な実施形態のうちの幾つかによる、無線デバイスデタッチ中のＲＡＮ輻輳ステータス管理を描くメッセージフロー図である。
【図８】図８は、例示的な実施形態のうちの幾つかによる、モビリティ管理ノードの例示的なノード構成の例示である。
【図９】図９は、例示的な実施形態のうちの幾つかによる、通信ノードの例示的なノード構成の例示である。
【図１０】図１０は、例示的な実施形態のうちの幾つかによる、図８のモビリティ管理ノードによって取られ得る例示的な動作を描くフロー図である。
【図１１】図１１は、例示的な実施形態のうちの幾つかによる、図９の通信ノードによって取られ得る例示的な動作を描くフロー図である。
【発明を実施するための形態】
【００１６】
以下の説明では、例示的な実施形態の完全な理解をもたらすために、特定のコンポーネント、要素、技法などといった具体的な詳細が、限定するのではなく解説する目的で明記される。しかしながら、これらの例示的な実施形態が、これらの具体的な詳細から外れたその他の態様で実践されてよいことが当業者には明らかであろう。その他の場合においては、例示的な実施形態の説明を曖昧にしないように、よく知られた方法及び要素の詳細な説明を省略する。ここで使用される専門用語は、例示的な実施形態を説明することを目的とし、ここに提示される本実施形態を限定することは意図されない。ここに提示される例示的な実施形態の全ては、ＧＥＲＡＮ、ＵＴＲＡＮ、又はＥ−ＵＴＲＡＮベースのシステムに適用可能であり得ることが理解されるべきである。
【００１７】
全体的な概観
ここに提示される例示的な実施形態の、より良い解説を提供するために、まず、問題を識別して議論する。図１は、通信ネットワーク１００の一般的な例を提供する。図１に示されるように、無線デバイス又はユーザ機器（ＵＥ）１０１は、オペレータ又はアプリケーションサーバ１０５への通信にアクセスするために、ＵＴＲＡＮ（Universal  Terrestrial  Radio  Access  Network）、Ｅ−ＵＴＲＡＮ（Evolved  UTRAN)、又はＧＥＲＡＮ(GSM  Edge  Radio  Access  Network）サブシステム内のそれぞれＲＡＮノード１０３、１０４、及び１０２と通信し得る。ＵＴＲＡＮ／Ｅ−ＵＴＲＡＮ／ＧＥＲＡＮサブシステムのＲＡＮノード１０２〜１０４は、ＳＣＳ、ＡＳ、ＡＦ、又はホスト１０５へアクセスする際に、ＧＰＲＳ（General  Packet  Radio  Service）サブシステム１０７又はＥＰＣ（Evolved  Packet  Core）サブシステム１０９と通信し得る。図１には例示されていないが、ネットワークがＷｉＦｉサブシステムをさらに含み得ることも理解されるべきである。
【００１８】
ＧＰＲＳサブシステム１０７は、Ｇｎ／Ｇｐ  ＳＧＳＮ（Gn/Gp  Serving  GPRS  Support  Node）１１１を含んでよく、当該Ｇｎ／Ｇｐ  ＳＧＳＮ１１１は、関連付けられる地理的なサービスエリア内の移動局への、及び移動局からの、データパケットの配信の責任を有し得る。Ｇｎ／Ｇｐ  ＳＧＳＮ１１１は、パケットルーティング、移送、モビリティ管理、及び接続性管理の責任も有し得る。ＧＰＲＳサブシステム１０７は、当該ＧＰＲＳサブシステム１０７とＰＤＮ１０５との間のインターワーキングの責任を有し得るゲートウェイＧＰＲＳサポートノード１１３も含み得る。
【００１９】
ＥＰＣサブシステム１０９は、モビリティ管理、接続性管理、アイドルモードＵＥのトラッキング、ページング手続、アタッチメント及びアクティベーション手続、並びに、スモールデータ及びメッセージ移送の責任を有し得るモビリティ管理エンティティ１１５を含み得る。ＥＰＣサブシステムは、データパケットのルーティング及び転送の責任を有し得るＳＧＷ（Serving  Gateway）１１７も含み得る。ＥＰＣサブシステムは、ユーザ機器１０１から１つ以上のＰＤＮ１０５への接続性を提供する責任を有し得るＰＧＷ（Packet  data  network  Gateway）１１９も含み得る。Ｇｎ／Ｇｐ  ＳＧＳＮ１１１及びＭＭＥ１１５はいずれも、デバイス識別情報、ＩＭＳＩ（International  Mobile  Subscriber  Identity）、加入情報などを提供し得るＨＳＳ（Home  Subscriber  Server）１２１と通信し得る。理解されるべきこととして、ＥＰＣサブシステム１０９はＳ４−ＳＧＳＮ１１０を含んでもよく、それにより、ＧＰＲＳ１０７がＥＰＣ１０９に置き換わったときに、ＧＥＲＡＮ１０２又はＵＴＲＡＮ１０３のサブシステムへのアクセスが可能とされる。
【００２０】
図１はさらに、無線ネットワーク内のＲＡＮ輻輳ステータスハンドリングの責任を有し、かつ、ＰＣＲＦにユーザプレーン輻輳情報を提供する、ＲＣＡＦノード１１６を例示する。ＲＣＡＦ１１６は、モビリティ管理ノード、例えば、Ｇｎ／Ｇｐ  ＳＧＳＮ１１１、Ｓ４−ＳＧＳＮ１１０、及びＭＭＥ１１５と通信する。ＲＣＡＦに関するさらなる情報は、３ＧＰＰ  ＴＲ  ２３．７０５のバージョン１１に提供されている。
【００２１】
通信ネットワークにおいては、利用可能な無線リソースの限界に起因してＲＡＮ輻輳が生じるかもしれず、このＲＡＮ輻輳は、ユーザプレーンにおけるデータの転送に影響を及ぼす。ＲＡＮ輻輳を把握するために、ＲＡＮ輻輳ステータスが考慮され得る。
【００２２】
ＧＰＲＳ／ＵＭＴＳ  Ｒ９９以来、無線インタフェース上でサービスに優先度を付けるための機構は、ベアラ概念に基づいてきた。高優先度のサービス又はユーザに属する非リアルタイムのトラフィックを搬送するベアラには高ＴＨＰ（Traffic  Handling  Priority）又は高ＱＣＩが割り当てられ、高ＴＨＰ又は高ＱＣＩは、輻輳のケースに当該トラフィックがコア及び無線部においてより上位の取り扱いを受けることを保証する
【００２３】
無線アクセスにおける輻輳をハンドリングするための、より高度な機構が必要とされる。セカンダリＰＤＰコンテキストの概念は、ＧＥＲＡＮアクセス及びＵＴＲＡＮアクセスについて、まだ、より大きな規模で市場に流通していない。ＵＴＲＡＮについてのセカンダリＰＤＰコンテキスト及びＥＰＳについての専用ベアラをたとえ用いても、限界があると言われてきており、その理由は、専用ベアラがＴＦＴ（Traffic  Flow  Template）により、そのケイパビリティに制約を受けるためである。即ち、或るサービスは、ＴＦＴで捕捉することが困難であるかもしれず、又は、ＴＦＴの頻繁な更新が必要とされるかもしれない。
【００２４】
３ＧＰＰ  Ｒｅｌ−１１に関しては、ＳＩＲＩＧ（Service  Identification  for  RRC  Improvements  in  GERAN：http://www.3gpp.org/ftp/Specs/html-info/FeatureOrStudyItemFile-530003.htm）と呼ばれる、ＧＥＲＡＮについての解決策が明示されており、当該ＳＩＲＩＧは、パケットコアがパケット検査を行い、次いで、各ＤＬユーザプレーンＧＴＰセグメントを、ＧＥＲＡＮがさらなる差別化アクションを取るための固有のサービスクラス識別子（ＳＣＩ）でマークすることに基づいている。目下、ＵＴＲＡＮアクセス及びＥ−ＵＴＲＡＮアクセスについての、明示されている等価な解決策は存在しない。
【００２５】
３ＧＰＰ  ＳＡ１は、ＵＰＣＯＮの解決策が対処すべきユースケースシナリオのセットを定義している。目下、３ＧＰＰ  ＳＡ２は、ＵＰＣＯＮについての解決策の代替案について論じている。概して、解決策は、優先度付けを行うために付加的情報をＲＡＮに供給することに依拠する、ＲＡＮユーザプレーン輻輳管理についてのＲＡＮベースの解決策、例えばＳＩＲＩＧと、コアネットワークへのフィードバックに依拠する、ＲＡＮユーザプレーン輻輳管理についてのＣＮベースの解決策とに類別されてきた。
【００２６】
動作上の観点から、ＲＡＮベースの解決策と比較したＣＮベースの解決策の１つの利点は、ＣＮベースの解決策がＲＡＮとコアネットワークとの間で必要とする統合及び協調が、仮定としてより少なく、例えば、全ての差別化が、ＲＡＮからの何らかの形の簡単なフィードバックに基づいて、コアネットワークドメイン内で行われることであり得る。
【００２７】
例示的な実施形態の概観
無線デバイスがＲＡＮ輻輳状況にあり、ＲＡＮユーザプレーン輻輳管理についてＣＮベースの解決策が使用され、当該無線デバイスが、アイドルモードにおいてＲＡＮ輻輳していないセルに移動し、そこでサービス要求をトリガする場合。この状況に関し、ＲＡＮ輻輳に起因して前のセル内で開始された緩和アクションを変更する機構は存在しない。このため、無線デバイスは、より良好な性能を再び得ることがなく、輻輳ＲＡＮしていない状況を反映する性能を有しない。但し、無線デバイスは、ＲＡＴの変化に起因して異なる性能を有するかもしれず、それでもなお、ＲＡＮ輻輳の状況がＣＮによって予期される。
【００２８】
ＲＡＮユーザプレーン輻輳管理についてのＣＮベースの解決策に関し、考察する必要のある幾つかの実施態様が存在する。第１に、ルーティングエリア更新又はトラッキングエリア更新の手続中に、前のセルからのＲＡＮ輻輳ステータスが、前の又はソースモビリティ管理ノード、例えば、ＭＭＥ、Ｇｎ／Ｇｐ  ＳＧＳＮ、又はＳ４−ＳＧＳＮから、新たな又はターゲットモビリティ管理ノードへ移送される必要がある。第２に、ＲＡＮが輻輳していないＲＡＮであるときのサービス要求中に、この情報は、ＲＡＮからモビリティ管理ノードに提供される必要があり、このモビリティ管理ノードは、この情報を、幾つかの状況について、ＣＮ内においてさらに上位へ、例えば、ＳＧＷ、ＰＧＷ、ＧＧＳＮ、ＰＣＲＦ、ＡＦ、及び／又はＲＣＡＦへ送信する必要がある。第３に、無線デバイスが所定の時間ピリオドにわたって接続されている場合、及び、ＲＡＮ輻輳ステータスの変化が生じている場合に、ＲＡＮノードは、更新ＲＡＮ輻輳ステータスを、モビリティ管理ノードに提供し得る。第４に、デタッチ手続は、ＣＮ内に記憶されるＲＡＮ輻輳ステータスが除去されるものとすることを意味する。さらに、無線デバイスが接続状態にあるモビリティ手続中におけるＲＡＮ輻輳ステータスハンドリングもまた考察されるものとする。
【００２９】
ここで説明される例示的な実施形態の目的は、ＣＮ内で使用され及び記憶されるＲＡＮ輻輳ステータスが、正しく更新されるものとし、適正なアクションが取られることを可能にすることである。よって、ここに提示される例示的な実施形態は、ＲＡＮ輻輳ステータスの移送及びハンドリングを対象とする。例示的な実施形態は、ＬＴＥ、ＵＴＲＡＮ、及びＧＥＲＡＮに適用可能である。
【００３０】
このテキストの残りの部分は、以下のように配列される。最初に、無線デバイスモビリティ手続中におけるＲＡＮ輻輳ステータス管理を対象とする例示的な実施形態について、“モビリティ手続中におけるＲＡＮ輻輳ステータス移送”という副題の下に論じる。その後、サービス要求中におけるＲＡＮ輻輳ステータス管理を対象とする例示的な実施形態を、“サービス要求中におけるＲＡＮ輻輳ステータス移送”という副題の下に提供する。ダイナミックＲＡＮ輻輳ステータス管理を対象とする付加的な例示的実施形態を、“ダイナミックＲＡＮ輻輳ステータス更新”という副題の下に提供する。デタッチ手続中におけるＲＡＮ輻輳ステータスの管理についてのさらなる例示的な実施形態を、“デタッチ手続中におけるＲＡＮ輻輳ステータス管理”という副題の下に提供する。モビリティ管理ノード及び通信ノードの例示的なノード構成を、“例示的なノード構成”という副題の下に提供する。最後に、モビリティ管理ノード及び通信ノードによって取られ得る例示的な動作を、“例示的なノード動作”という副題の下に提供する。
【００３１】
モビリティ手続中におけるＲＡＮ輻輳ステータス移送
例示的な実施形態のうちの幾つかによると、ＲＡＮ輻輳ステータスがモビリティ手続中に提供される。例示的な実施形態のうちの幾つかによると、無線デバイスがアイドルモードにある間に、ＲＡＮ輻輳ステータスの移送が生じ得ることが理解されるべきである。無線デバイスがアイドルモードにある間にＲＡＮ輻輳ステータスが一旦提供されると、モビリティ管理ノードは、当該ステータスを保存してよく、それは別のとき、例えば、サービス要求の受信後のハンドリングのためである。
【００３２】
例示的な実施形態が、ＲＡＮ輻輳ステータスのアイドルモード移送に限定される必要のないことが理解されるべきである。例示的な実施形態のうちの幾つかによると、ＲＡＮ輻輳ステータスは、無線デバイスが接続モード又は非アイドルモードにある間に提供されてもよい。このような場合、モビリティ手続は、ハンドオーバ、ＴＡＵ、又はＲＡＵであり得る。これらの例示的な実施形態によると、モビリティ管理ノードは、無線デバイスに以前にサービスしていたセルに関連付けられる受信ＲＡＮ輻輳ステータスを、（例えば、モビリティ手続が完了すると）当該無線デバイスに目下サービスしているセルに関連付けられる保存ＲＡＮ輻輳ステータスと比較し得る。比較して、受信ＲＡＮ輻輳ステータスと保存ＲＡＮ輻輳ステータスとが異なる場合、モビリティ管理ノードは、保存ＲＡＮ輻輳ステータス又はカレントＲＡＮ輻輳ステータスを、他のネットワークノードへ転送するように構成され得る。
【００３３】
ルーティングエリア更新又はトラッキングエリア更新の手続中に、ソースノードとしても知られる前のモビリティ管理ノードから、ターゲットノードとしても知られる新たなモビリティ管理ノードへ受信される、取得済みコンテキスト（context  retrieval）が存在する。前のＲＡＮは、“前のセル”をＲＡＮ輻輳又は非ＲＡＮ輻輳とみなし、この情報は、前のモビリティ管理ノードへ以前に送信済みであり、モビリティ管理ノードはそれを記憶済みである。例示的な実施形態によると、取得済みコンテキストは、前のセルについてのＲＡＮ輻輳ステータスも含む。この情報は、セルごとのレポーティング、ユーザレベルごと、又はベアラレベルごとであり得る。新たなモビリティ管理ノードは、この情報を記憶する。
【００３４】
例示的な実施形態のうちの幾つかによると、取得済みコンテキストにおけるＲＡＮ輻輳ステータスは、手続のために何が使用されるかに依存して、メッセージコンテキスト応答又はＳＧＳＮコンテキスト応答のいずれかで、ルーティングエリア更新において提供され得る。例示的な実施形態のうちの幾つかによると、ＲＡＮ輻輳ステータスは、手続のために何が使用されるかに依存して、メッセージコンテキスト応答又はＳＧＳＮコンテキスト応答のいずれかで、トラッキングエリア更新において提供されてもよい。
【００３５】
図２は、モビリティ手続中にＲＡＮ輻輳ステータスを提供するためのメッセージフローを描くブロック図を例示する。具体的に、図２は、無線デバイス１０１がＲＡＵ又はＴＡＵの手続を経た際のＲＡＮ輻輳ステータス管理のケースを例示する。図２の例によると、まず、無線デバイス（ＵＥ）１０１は、１つのセルへ接続され、アイドル状態に入る（メッセージ１）。その後、無線デバイス（ＵＥ）１０１は、新たなセルに移動し、次いで、ＲＡＵ又はＴＡＵをトリガする（メッセージ２）。この要求は、新たなモビリティ管理ノード、例えば、ＭＭＥ１１５ａ、Ｇｎ／Ｇｐ  ＳＧＳＮ１１１ａ、又はＳ４−ＳＧＳＮ１１０ａへ転送される。新たなモビリティ管理ノード１１０ａ、１１１ａ、１１５ａは、前のモビリティ管理ノード１１０ｂ、１１１ｂ、１１５ｂからコンテキスト情報を受信する（メッセージ３）。このコンテキスト情報は、前のセルのＲＡＮ輻輳ステータスを含む。新たなモビリティ管理ノード１１０ａ、１１１ａ、１１５ａは、さらなる使用のために、受信したＲＡＮ輻輳ステータスを新たなモビリティ管理ノード１１０ａ、１１１ａ、１１５ａ内に記憶する。例示的な実施形態のうちの幾つかによると、新たなモビリティ管理ノードは、ＲＣＡＦへのＣＮ通知を生じさせるものとされる。ＳＧＷ、ＰＧＷ、ＧＧＳＮ、ＰＣＲＦ、及び任意選択としてＡＦは、前のモビリティ管理ノード１１０ｂ、１１１ｂ、１１５ｂから受信され記憶されたＲＡＮ輻輳ステータスを考慮してステータスが変化した場合に、次のサービス要求において、ＲＡＮ輻輳ステータスを受信するであろう。
【００３６】
図３は、３ＧＰＰ  ＴＳ  ２３．４０１  ｖ１２の条項５．３．３．１によるＳＧＷの変更を伴うＬＴＥトラッキングエリア更新手続についてのメッセージフロー図を例示しており、この図は、例示的な実施形態が適用され得る要領を解説するために、ここで使用される。図３に示されるように、無線デバイス（ＵＥ）は、ＴＡＵ手続を開始し、その後、ＴＡＵ要求を基地局又はＲＡＮノードへ送信し得る（メッセージ１及び２）。基地局又はＲＡＮノードはその後、当該要求を、新たな又はターゲットモビリティ管理ノードへ転送する（メッセージ３）。新たな又はターゲットモビリティ管理ノードはその後、コンテキスト要求メッセージを、前の又はソースモビリティ管理ノードへ送信する（メッセージ４）。
【００３７】
前の又はターゲットモビリティ管理ノードは、コンテキスト応答で応答する（メッセージ５）。例示的な実施形態のうちの幾つかによると、ＴＡＵ手続の開始前に無線デバイスにサービスしていたノードに関連付けられるＲＡＮ輻輳ステータスが提供される。コンテキスト応答メッセージにおいて提供される情報は、新たなモビリティ管理ノードに記憶される。メッセージ６〜２１は、当該技術で知られているＴＡＵ手続の残りの部分を記述している。
【００３８】
サービス要求中におけるＲＡＮ輻輳ステータス移送
例示的な実施形態のうちの幾つかによると、ＲＡＮ輻輳ステータスは、サービス要求中に提供され得る。サービス要求中、例えば、上記の章で説明したモビリティ手続後に、ＲＡＮが輻輳していない場合、非輻輳ＲＡＮステータスが、新たなモビリティ管理ノードに記憶されるべきであり、前のモビリティ管理ノードからの以前に通知されたＲＡＮ輻輳が、非輻輳ＲＡＮステータスに置き換わる。この情報は、ＲＡＮから直接的に又は間接的に、のいずれかで示される。ＲＡＮ輻輳ステータスに関するいかなる変化も、モビリティ管理ノード内で更新され又は記憶されるべきである。よって、例示的な実施形態のうちの幾つかによると、受信ＲＡＮ輻輳ステータス、例えば、サービス要求において受信された受信ＲＡＮ輻輳ステータスは、保存ＲＡＮ輻輳ステータスと、又は、モビリティ管理ノード内に以前に保存されたＲＡＮ輻輳ステータスと、比較され得る。
【００３９】
受信ＲＡＮ輻輳ステータス及び保存ＲＡＮ輻輳ステータスの輻輳レベルが異なる場合、モビリティ管理ノードはその後、無線デバイスに目下サービスしているセルに関連付けられるカレントＲＡＮ輻輳ステータスを表す受信ＲＡＮ輻輳ステータスを、その他のコアネットワークノード又はＲＣＡＦへ送信し得る。このようなコアネットワークノードの例は、ＳＧＷ、ＰＧＷ、ＧＧＳＮ、ＰＣＲＦ、ＡＦ、及び／若しくはＲＣＡＦ、又は同様の機能である。カレントＲＡＮ輻輳ステータスは、これら全てのノード内に記憶されてもよい。この情報が利用可能な状態において、ＰＣＣルールの変更、ベアラについてのビットレート変更、ビデオコーデックの変更などといった、さらなる緩和アクションが可能にされる。前のモビリティ管理ノードから受信されるＲＡＮ輻輳ステータスが無い場合、新たなモビリティ管理ノードは、ＳＧＷ、ＰＧＷ、ＧＧＳＮ、ＰＣＲＦ、及び任意選択としてＡＦへ、並びに／若しくはＲＣＡＦへ又は同様の機能へのＣＮ通知を生じさせるものとされる。ＣＮ通知の生成は、サービス要求が新たなセル内の無線デバイスから初めて受信されたときに生じてもよい。
【００４０】
図４は、サービス要求中にＲＡＮ輻輳ステータスを提供するためのメッセージフローを描くブロック図を例示する。図４に示されるように、まず、無線デバイス（ＵＥ）１０１は、例えばアイドルモードを退去するとすぐに、サービス要求手続を開始する（メッセージ４ａ）。サービス要求は、基地局又はＲＡＮノード１０２、１０３、１０４を介して、モビリティ管理ノード、例えば、ＭＭＥ１１５、Ｇｎ／Ｇｐ  ＳＧＳＮ１１１、又はＳ４−ＳＧＳＮ１１０へ送信され得る。要求手続が、無線デバイス（ＵＥ）１０１にサービスするＲＡＮノードのＲＡＮ輻輳ステータスを含み得ることが理解されるべきである。例示的な実施形態のうちの幾つかによると、ＲＡＮ輻輳ステータスは、ＲＡＮノードによって提供されてよい。
【００４１】
理解されるべきこととして、例示的な実施形態は、無線デバイス（ＵＥ）によるサーバ要求の代わりに、ネットワークトリガ型のサービス要求に適用されてもよい（メッセージ４ｂ）。このことは、例えば、アイドルモードの無線デバイスに利用可能なダウンリンクデータが存在するときに生じ得る。例えばＳＧＷを介してモビリティ管理ノードへページング要求が送信されてもよい。このような要求を受信するとすぐに、無線デバイスは、サービス要求を送信し得る。要求手続は、当該無線デバイスにサービスするＲＡＮノードのＲＡＮ輻輳ステータスを含み得る。
【００４２】
メッセージ４ａ又は４ｂのいずれかを介して通信信号を受信するとすぐに、モビリティ管理ノードは、通信要求に関連付けられるＲＡＮ輻輳ステータスを、例えば図２及び図３に描かれた手続を介してモビリティ管理ノードに以前に記憶されているであろうＲＡＮ輻輳ステータスと比較し得る。
【００４３】
例えば、受信された通信要求に関連付けられるカレントＲＡＮ輻輳レベルが、以前に記憶されたＲＡＮ輻輳ステータスのＲＡＮ輻輳レベルとは異なると判断される場合、モビリティ管理ノードは、カレントＲＡＮ輻輳ステータスを、ＳＧＷ１１７、ＰＧＷ１１９、若しくはＧＧＳＮ、ＰＣＲＦ１１４へ、及び任意選択としてＡＦ１０５へ、並びに／又は、ＲＣＡＦ若しくは同様の機能へ、転送し得る（メッセージ５）。ＲＡＮ輻輳ステータスの転送により、無線デバイスは、より良好なサービス品質を享受することが可能になる。
【００４４】
輻輳状態が、特定のユーザ又は無線デバイスについて輻輳から非輻輳に変化するか、又は、その逆である場合に、カレントＲＡＮ輻輳レベルが転送され得ることが理解されるべきである。よって、カレントＲＡＮ輻輳レベルは、当該カレントＲＡＮ輻輳レベルが以前に記憶されたＲＡＮ輻輳ステータスよりも低いか、又は高い場合に転送され得る。
【００４５】
図５は、３ＧＰＰ  ＴＳ  ２３．４０１  ｖ１２．０．０の条項５．３．４．１によるＬＴＥ無線デバイス（ＵＥ）トリガ型サービス要求手続を例示しており、この図は、例示的な実施形態が適用され得る要領を解説するために、ここで使用される。図５に例示されるように、無線デバイス（ＵＥ）は、ＮＡＳサービス要求を、基地局又はＲＡＮノードへ送信し得る（メッセージ１）。基地局／ＲＡＮノードは、当該ＮＡＳサービス要求を、モビリティ管理ノードへ転送する（メッセージ２）。
【００４６】
例示的な実施形態のうちの幾つかによると、モビリティ管理ノードが、例えばアイドルモードにおいてＴＡＵ中に、ＲＡＮ輻輳を伴ったＲＡＮ輻輳ステータスを示すコンテキスト応答メッセージを以前に受信しているケースにおいて、現在のセルがＲＡＮ輻輳を示さない場合、又は、カレントＲＡＮ輻輳が、以前に記憶されたＲＡＮ輻輳よりも低度であるか、若しくは以前に記憶されたＲＡＮ輻輳とは異なる場合に、モビリティ管理ノードは、ＲＡＮ輻輳変化をＰＣＲＦに示し得る（メッセージ２Ａ）。その後、認証及びセキュリティの手続が行われ得る（メッセージ３）。初期コンテキストセットアップの手続も提供される（メッセージ４〜７）。
【００４７】
モビリティ管理ノードは、ベアラ修正要求メッセージをＳＧＷへ送信するように構成される（メッセージ８）。例示的な実施形態のうちの幾つかによると、ベアラ修正要求メッセージは、例えば、ＲＡＮ輻輳が異なっているか、もはや存在しないか、又はより低度である場合に、カレントＲＡＮ輻輳ステータスの標識を含み得る。ＳＧＷはその後、ベアラ修正要求メッセージをＰＧＷへ転送し得る（メッセージ９）。例示的な実施形態のうちの幾つかによると、転送されるメッセージ（メッセージ９）は、カレントＲＡＮ輻輳ステータス又はそれに含まれる何らかの標識をも含み得る。輻輳状態が、特定のユーザ又は無線デバイスについて輻輳から非輻輳に変化する場合に、カレントＲＡＮ輻輳レベルが転送され得ることが理解されるべきである。その後、無線デバイス（ＵＥ）トリガ型サービス要求手続は、当該技術で知られているように継続し得る（メッセージ１０〜１２）。
【００４８】
ダイナミックＲＡＮ輻輳ステータス更新
例示的な実施形態のうちの幾つかによると、ＲＡＮ輻輳ステータスは、無線デバイスが或る時間ピリオドにわたってネットワークへ接続されている間に、例えば、無線デバイスが接続状態又は非アイドルモードにあるときに、動的に提供されてもよい。当該時間ピリオドは、任意の数のしきい値を基準として測定される、予め決定される時間ピリオドであってよい。ダイナミックＲＡＮ輻輳ステータス更新を対象とする例示的な実施形態が、無線デバイスが所定の時間ピリオドにわたって接続モードにあるモビリティ手続も含むことが理解されるべきである。さらに理解されるべきこととして、更新は、特定の無線デバイスのＲＡＮ輻輳ステータスが変化したことを必ずしも意味しない。通知は、例えば、ＲＡＮノードが新たに検出された輻輳している無線デバイスのアグリゲーションを行う場合に提供される。この場合、ＲＡＮノードは、共通的なメッセージで、当該ＲＡＮノードによりサービスされる全ての無線デバイスについての通知を送信してもよい。
【００４９】
図６は、例示的な実施形態のうちの幾つかによる、ダイナミックＲＡＮ輻輳ステータス更新についてのメッセージフローを例示する。無線デバイス（ＵＥ）が長い時間ピリオドにわたり、例えば非アイドルモードにおいて接続中であった場合、ＲＡＮノードは、ＲＡＮ輻輳ステータスを提供し得る。理解されるべきこととして、長い時間ピリオドは、例えば数分のオーダであってもよい。
【００５０】
ＲＡＮノード１０２、１０３、１０４が、ＲＡＮ輻輳ステータスが変化したこと、又は、ＲＡＮ輻輳ステータスを提供する必要があることを一旦検出すると、ＲＡＮノードは、更新されたＲＡＮ輻輳ステータスを、モビリティ管理ノード、例えば、ＭＭＥ１１５、Ｇｎ／Ｇｐ  ＳＧＳＮ１１１、又はＳ４−ＳＧＳＮ１１０へ送信する（メッセージ７）。理解されるべきこととして、ＲＡＮ輻輳ステータスの更新の更新を開始するために必要とされる変化量が、当該変化量を予め決定されるしきい値と比較することによって決定されてもよい。理解されるべきこととして、このようなしきい値は、動的であってもよい。
【００５１】
モビリティ管理ノード１１０、１１１、１１５は、今度は、当該モビリティ管理ノードで更新ＲＡＮ輻輳ステータスを保存する（メッセージ８）。モビリティ管理ノードは、ＲＡＮ輻輳ステータスを、ＳＧＷ、ＰＧＷ、ＰＣＲＦ、ＡＦ、及び／又は、ＲＣＡＦ若しくは同様の機能へも転送する。
【００５２】
デタッチ手続中におけるＲＡＮ輻輳ステータス管理
例示的な実施形態のうちの幾つかによると、無線デバイスのデタッチ手続中のＲＡＮ輻輳ステータスの管理のために、手続がとり行われてもよい。図７は、デタッチ手続中におけるＲＡＮ輻輳ステータス管理のフロー図を例示する。無線デバイス（ＵＥ）はデタッチ要求を開始し、デタッチ要求は、ネットワークへ送信され、モビリティ管理ノード、例えば、ＭＭＥ、Ｇｎ／Ｇｐ  ＳＧＳＮ、又はＳ４−ＳＧＳＮへ転送され得る（メッセージ９ａ）。ネットワーク開始型のデタッチ要求が無線デバイス（ＵＥ）へ送信されてもよく、又は、この手続はネットワーク内で処理されてもよい（メッセージ９ｂ）。
【００５３】
メッセージ９ａ又は９ｂのいずれかを介して、このような要求を受信するか、又は、手続を処理するとすぐに、モビリティ管理ノードは、デタッチ要求を開始する無線デバイスについて当該モビリティ管理ノードが目下保存してきたＲＡＮ輻輳ステータスを削除し得る。その他のコアネットワークノード、例えば、ＳＧＷ、ＰＧＷ、ＰＣＲＦ、及び／又はＡＦが、今度は、デタッチされた無線デバイスに関連付けられるＲＡＮ輻輳ステータスを削除してもよい。
【００５４】
例示的なノード構成
図８は、モビリティ管理ノードの例示的なノード構成を例示する。理解されるべきこととして、モビリティ管理ノードは、ＭＭＥ１１５、Ｇｎ／Ｇｐ  ＳＧＳＮ１１１、又はＳ４−ＳＧＳＮ１１０であってよい。モビリティ管理ノードは、ここに記載される例示的な実施形態のうちの幾つかを実行し得る。モビリティ管理ノードは、ＲＡＮ輻輳ステータスに関連する、通信データ、命令、メッセージ、及び／又は任意の情報を、受信及び／又は送信するように構成され得る無線回路、通信ポート、又は受信機４１０及び送信機４１１を含み得る。無線回路、通信ポート、又は受信機４１０及び送信機４１１が、任意の数の送受信、受信、及び／又は送信ユニット、モジュール、又は回路として含まれ得ることが理解されるべきである。無線回路、通信ポート、又は受信機４１０及び送信機４１１が、当該技術で知られているあらゆる入力通信ポート又は出力通信ポートの形を取り得ることが、さらに理解されるべきである。無線回路、通信ポート、又は受信機４１０及び送信機４１１は、ＲＦ回路及びベースバンド処理回路（図示せず）を含み得る。
【００５５】
モビリティ管理ノードは、ここで説明したような優先度情報を提供し及び取得するように構成され得る処理モジュール、処理ユニット、又は処理回路４２０も含み得る。処理回路４２０は、任意の適切なタイプの演算ユニット、例えば、マイクロプロセッサ、デジタル信号プロセッサ（ＤＳＰ）、フィールドプログラマブルゲートアレイ（ＦＰＧＡ）、又は特定用途向け集積回路（ＡＳＩＣ）、又は任意のその他の形の回路であってよい。モビリティ管理ノードはさらに、任意の適切なタイプのコンピュータ読取可能なメモリであって揮発性及び／又は不揮発性のタイプであり得る、メモリユニット又はメモリ回路４０５を含み得る。メモリ４０５は、受信され、送信され、及び／又は測定される、データ、デバイスパラメータ、通信の優先度、任意の形のＲＡＮ輻輳ステータス情報、及び／又は、実行可能プログラム命令を記憶するように構成され得る。
【００５６】
図９は、通信ノードの例示的なノード構成を例示する。理解されるべきこととして、通信ノードは、ＲＡＮノード１０２、１０３、１０３、ソースあるいは前のＭＭＥ１１５ｂ、前のＧｎ／Ｇｐ  ＳＧＳＮ１１１ｂ、又は前のＳ４−ＳＧＳＮ１１０ｂであってもよい。通信ノードは、ここに記載される例示的な実施形態のうちの幾つかを実行し得る。通信ノードは、ＲＡＮ輻輳ステータスに関連する、通信データ、命令、メッセージ、及び／又は任意の情報を、受信及び／又は送信するように構成され得る無線回路、通信ポート、又は受信機５１０及び送信機５１１を含み得る。無線回路、通信ポート、又は受信機５１０及び送信機５１１が、任意の数の送受信、受信、及び／又は送信ユニット、モジュール又は回路として含まれ得ることが理解されるべきである。無線回路、通信ポート、又は受信機５１０及び送信機５１１が、当該技術で知られているあらゆる入力通信ポート又は出力通信ポートの形を取り得ることがさらに理解されるべきである。無線回路、通信ポート、又は受信機５１０及び送信機５１１は、ＲＦ回路及びベースバンド処理回路（図示せず）を含み得る。
【００５７】
通信ノードは、ここで説明したような優先度情報を提供し及び取得するように構成され得る処理モジュール、処理ユニット、又は処理回路５２０も含み得る。処理回路４２０は、任意の適切なタイプの演算ユニット、例えば、マイクロプロセッサ、デジタル信号プロセッサ（ＤＳＰ）、フィールドプログラマブルゲートアレイ（ＦＰＧＡ）、又は特定用途向け集積回路（ＡＳＩＣ）、又は任意のその他の形の回路であってよい。通信ノードはさらに、任意の適切なタイプのコンピュータ読取可能なメモリであって揮発性及び／又は不揮発性のタイプであり得る、メモリユニット又はメモリ回路５０５を含み得る。メモリ５０５は、受信され、送信され、及び／又は測定された、データ、デバイスパラメータ、通信の優先度、任意の形のＲＡＮ輻輳ステータス情報、及び／又は、実行可能プログラム命令を記憶するように構成され得る。
【００５８】
例示的なノード動作
図１０は、ＲＡＮ輻輳ステータスを管理するために、ここで説明したモビリティ管理ノードによって取られ得る例示的な動作を描くフロー図である。理解されるべきこととして、モビリティ管理ノードは、Ｓ４−ＳＧＳＮ１１０、Ｇｎ／Ｇｐ  ＳＧＳＮ１１１、ＭＭＥ１１５、新たなあるいはターゲットＳ４−ＳＧＳＮ１１０ａ、新たなあるいはターゲットＧｎ／Ｇｐ  ＳＧＳＮ１１１ａ、又は、新たなあるいはターゲットＭＭＥ１１５ａであってよい。図１０が、実線の境界を用いて例示される幾つかの動作と、破線の境界を用いて例示される幾つかの動作とを含むことも理解されるべきである。実線の境界内に含まれる動作は、最も広い例示的な実施形態に含まれる動作である。破線の境界に含まれる動作は、より広い例示的な実施形態の動作に加えて取られ得るさらなる動作に含まれるかもしれず、又は、当該さらなる動作の一部であるかもしれず、又は、当該さらなる動作であるという、例示的な実施形態である。これらの動作が順に実行される必要のないことが理解されるべきである。さらに、これらの動作の全てが必ずしも実行される必要があるわけではないことが理解されるべきである。例示的な動作は、任意の順序及び任意の組み合わせで実行されてよい。
【００５９】
動作１０
モビリティ管理ノード１１０、１１１、１１５、１１０ａ、１１１ａ、１１５ａは、通信ノード１０２、１０３、１０４、１１０ｂ、１１１ｂ、１１５ｂから、ＲＡＮノード１０２、１０３、１０４によりサービスされる無線デバイス１０１に関する通信信号を受信１０するように構成される。通信信号は、受信ＲＡＮ輻輳ステータスを含む。受信機４１０が、通信ノードからＲＡＮノードによりサービスされる無線デバイスに関する通信信号を受信するように構成される。
【００６０】
例示的な実施形態のうちの幾つかによると、上記通信信号は、無線端末によって行われるＲＡＵ又はＴＡＵの手続中に受信されるコンテキスト応答であり得る。この例示的な実施形態において、受信ＲＡＮ輻輳ステータスは、無線デバイスに以前にサービスしていたセルに関連付けられる。この例示的な実施形態については、少なくとも“モビリティ手続中におけるＲＡＮ輻輳ステータス移送”という副題の下に、さらに説明している。
【００６１】
例示的な実施形態のうちの幾つかによると、上記通信信号は、無線デバイス又はネットワークのいずれかによって開始されるサービス要求であり得る。この例示的な実施形態において、受信ＲＡＮ輻輳ステータスは、無線デバイスに以前にサービスしていたセルに関連付けられる。この例示的な実施形態については、少なくとも“サービス要求中におけるＲＡＮ輻輳ステータス移送”という副題の下に、さらに説明している。
【００６２】
例示的な実施形態のうちの幾つかによると、上記通信信号は、ＲＡＮ輻輳ステータスの通知であり得る。この例示的な実施形態において、通信信号は、無線デバイスに目下サービスしているセルに関連付けられるＲＡＮ輻輳ステータスを含み得る。この例示的な実施形態については、少なくとも“ダイナミックＲＡＮ輻輳ステータス更新”という副題の下に、さらに説明している。
【００６３】
例示的な実施形態のうちの幾つかによると、上記通信信号又は通知は、無線デバイスのモビリティ手続中に、例えば、ハンドオーバ、ＴＡＵ、又はＲＡＵの間に受信されてよく、無線デバイスは、接続状態にある。これらの例示的な実施形態によると、受信ＲＡＮ輻輳ステータスは、無線デバイスに以前にサービスしていたセルに関連付けられる。
【００６４】
例示的な実施形態のうちの幾つかによると、上記通信信号は、無線デバイスがネットワークからデタッチしようとしているという通知であり得る。この例示的な実施形態については、少なくとも“デタッチ手続中におけるＲＡＮ輻輳ステータス管理”という副題の下に、さらに説明している。
【００６５】
例示的な動作１２
例示的な実施形態のうちの幾つかによると、上記通信信号は、無線端末により行われるＲＡＵ又はＴＡＵの手続中に受信されるコンテキスト応答であり得る。このような一実施形態において、通信信号はさらに、無線デバイスに以前にサービスしていたセルのＲＡＮ輻輳ステータスを含む。この例示的な実施形態において、通信ノードは、前のモビリティ管理ノード１１０ｂ、１１１ｂ、１１５ｂである。さらに、この例示的な実施形態において、モビリティ管理ノードは、新たなＧｎ／Ｇｐ  ＳＧＳＮ１１１ａ、新たなＭＭＥ１１５ａ、又は新たなＳ４−ＳＧＳＮ１１０ａである。
【００６６】
この例示的な実施形態において、新たなモビリティ管理ノード１１０ａ、１１１ａ、１１５ａは、受信ＲＡＮ輻輳ステータスを新たなモビリティ管理ノード内に記憶１２するようにさらに構成され得る。処理回路４２０が受信ＲＡＮ輻輳ステータスを新たなモビリティ管理ノード内に記憶するように構成され得る。例示的な実施形態のうちの幾つかによると、記憶１２は、無線デバイスがアイドルモードにある間に、又は、アイドルモードからちょうど出たときに、生じ得る。よって、受信ＲＡＮ輻輳ステータスのさらなる解析は、通信信号の受信１０の直後に行われる必要がない。この例示的な実施形態については、少なくとも“モビリティ手続中におけるＲＡＮ輻輳ステータス移送”という副題、並びに、図２及び図３の下に、さらに説明している。
【００６７】
例示的な動作１４
例示的な実施形態のうちの幾つかによると、上記通信信号は、無線デバイス又はネットワークのいずれかにより開始されるサービス要求であり得る。この例示的な実施形態において、受信ＲＡＮ輻輳ステータスは、無線デバイスに目下サービスしているセルに関連付けられるカレントＲＡＮ輻輳ステータスである。この例示的な実施形態において、通信ノードは、ＲＡＮノード１０２、１０３、１０４である。さらに、この例示的な実施形態において、モビリティ管理ノードは、現在の又は新たな、Ｇｎ／Ｇｐ  ＳＧＳＮ１１１、１１１ａ、ＭＭＥ１１５、１１５ａ、又はＳ４−ＳＧＳＮ１１０、１１０ａである。
【００６８】
この例示的な実施形態において、モビリティ管理ノードは、受信ＲＡＮ輻輳ステータスを当該モビリティ管理ノード内に記憶１４するようにさらに構成され得る。処理回路４２０は、受信ＲＡＮ輻輳ステータスをモビリティ管理ノード内に記憶するように構成される。この例示的な実施形態については、少なくとも“サービス要求中におけるＲＡＮ輻輳ステータス移送”という副題、並びに、図４及び図５の下に、さらに説明している。
【００６９】
例示的な動作１６
例示的な実施形態のうちの幾つかによると、上記通信信号は、無線デバイスが接続状態にある間に、例えば、無線デバイスがアイドルモードにないときに、提供されるＲＡＮ輻輳ステータスの通知であり得る。
【００７０】
この例示的な実施形態によると、受信ＲＡＮ輻輳ステータスは、カレントＲＡＮ輻輳ステータスである。この例示的な実施形態において、通信ノードは、ＲＡＮノード１０２、１０３、１０４である。さらに、この例示的な実施形態によると、モビリティ管理ノードは、Ｇｎ／Ｇｐ  ＳＧＳＮ１１１、１１１ａ、又はＳ４−ＳＧＳＮ１１０、１１０ａである。
【００７１】
この例示的な実施形態によると、上記通知は、無線デバイスに関連付けられるＲＡＮ輻輳ステータスが変化したことを示し得る。代替的に、通知は、例えば、ＲＡＮノードが新たに検出された輻輳無線デバイスのアグリゲーションを行う場合に、変化していないＲＡＮ輻輳ステータスを提供してもよい。このような場合、ＲＡＮノードは、共通的なメッセージで、全ての無線デバイスについての輻輳状態を送信してもよい。さらに理解されるべきこととして、この通知は、モビリティ管理ノードに任意の時点で有効なＲＡＮ輻輳ステータスを知らせる任意の通信信号であってよい。
【００７２】
この例示的な実施形態において、モビリティ管理ノードは、受信ＲＡＮ輻輳ステータスを記憶１６するようにさらに構成される。処理回路４２０が受信ＲＡＮ輻輳ステータスを記憶するようにさらに構成される。この例示的な実施形態については、少なくとも“ダイナミックＲＡＮ輻輳ステータス更新”という副題及び図６の下に、さらに説明している。
【００７３】
例示的な実施形態のうちの幾つかによると、上記通信信号又は通知は、無線デバイスが接続状態にある間において、無線デバイスのモビリティ手続中に、例えば、ハンドオーバ、ＴＡＵ、又はＲＡＵ中に、受信され得る。これらの例示的な実施形態によると、受信ＲＡＮ輻輳ステータスは保存される必要がないが、その理由は、この実施形態における受信ＲＡＮ輻輳ステータスが、無線デバイスに以前にサービスしていたセルの輻輳レベルに関連付けられているためである。この例示的な実施形態については、少なくとも“モビリティ手続中におけるＲＡＮ輻輳ステータス移送”という副題の下に、さらに説明している。
【００７４】
動作１８
モビリティ管理ノード１１０、１１１、１１５、１１０ａ、１１１ａ、１１５ａは、受信ＲＡＮ輻輳ステータスを、保存ＲＡＮ輻輳ステータスと比較１８するようにさらに構成される。保存ＲＡＮ輻輳ステータスは、受信１０に先立ってモビリティ管理ノード内に保存される。処理回路４２０が受信ＲＡＮ輻輳ステータスを保存ＲＡＮ輻輳ステータスと比較するように構成される。
【００７５】
受信ＲＡＮ輻輳ステータスを保存ＲＡＮ輻輳ステータスと比較することにより、受信ＲＡＮ輻輳ステータスをいかにハンドリングすべきかについての判断がなされ得る。理解されるべきこととして、この比較はモビリティ管理ノード内で実行される。
【００７６】
例示的な実施形態のうちの幾つかによると、受信ＲＡＮ輻輳ステータスは非輻輳状態を示し及び保存ＲＡＮ輻輳ステータスは輻輳状態を示し、又は、受信ＲＡＮ輻輳ステータスは輻輳状態を示し及び保存ＲＡＮ輻輳ステータスは非輻輳状態若しくは輻輳状態を示す。
【００７７】
動作２０
受信ＲＡＮ輻輳ステータスの輻輳レベルが保存ＲＡＮ輻輳ステータスの輻輳レベルとは異なる場合に、モビリティ管理ノード１１０、１１１、１１５、１１０ａ、１１１ａ、１１５ａは、コアネットワークノード１０５、１１３、１１４、１１７、１１９、又はＲＡＣＦ１１６へ、無線デバイスに目下サービスしているセル内の無線デバイスに関連付けられるカレントＲＡＮ輻輳ステータスを転送２０するようにさらに構成される。カレントＲＡＮ輻輳ステータスは、受信ＲＡＮ輻輳ステータス又は保存ＲＡＮ輻輳ステータスのいずれかである。処理回路４２０が、受信ＲＡＮ輻輳ステータスの輻輳レベルが保存ＲＡＮ輻輳ステータスの輻輳レベルとは異なる場合に、コアネットワークノード又はＲＡＣＦへ、カレントＲＡＮ輻輳ステータスを転送するように構成される。
【００７８】
図１１は、ＲＡＮ輻輳ステータスを管理するために、ここに記載される通信ノードによって取られ得る例示的な動作を描くフロー図である。理解されるべきこととして、通信ノードは、ＲＡＮノード１０２、１０３、１０３、ソースあるいは前のＭＭＥ１１５ｂ、前のＧｎ／Ｇｐ  ＳＧＳＮ１１１ｂ、又は前のＳ４−ＳＧＳＮ１１０ｂであってよい。図１１が、実線の境界を用いて例示される幾つかの動作と、破線の境界を用いて例示される幾つかの動作とを含むことも理解されるべきである。実線の境界内に含まれる動作は、最も広い例示的な実施形態に含まれる動作である。破線の境界に含まれる動作は、より広い例示的な実施形態の動作に加えて取られ得るさらなる動作に含まれてもよく、又は、当該さらなる動作の一部であってもよく、又は、当該さらなる動作であるという、例示的な実施形態である。これらの動作が順に実施される必要のないことが理解されるべきである。さらに、これらの動作の全てが必ずしも実施される必要があるわけではないことが理解されるべきである。例示的な動作は、任意の順序及び任意の組み合わせで実行されてよい。
【００７９】
動作２２
通信ノード１０２、１０３、１０４、１１０ｂ、１１１ｂ、１１５ｂは、モビリティ管理ノード１１０、１１１、１１５、１１０ａ、１１１ａ、１１５ａへ、ＲＡＮノード１０２、１０３、１０４によりサービスされる無線デバイス１０１に関する通信信号を送信３２するように構成される。上記通信信号は、無線デバイスモビリティ手続中に、及び／又は、無線デバイスが或る時間ピリオドにわたって接続状態にあるときに、モビリティ管理ノード内におけるＲＡＮ輻輳ステータス管理のために利用される。送信機５１１が、モビリティ管理ノードへ、ＲＡＮノードによりサービスされる無線デバイスに関する通信信号を送信するように構成される。通信ノードがＲＡＮノード１０２、１０３、１０４である場合、モビリティ管理ノードは、Ｇｎ／Ｇｐ  ＳＧＳＮ１１１、１１１、又はＳ４−ＳＧＳＮ１１０、１１０ａである。理解されるべきこととして、無線デバイスが或る時間ピリオドにわたって接続状態にあるということは、無線デバイスがアイドルモードにないと解釈されるものとされる。例示的な実施形態のうちの幾つかによると、上記時間ピリオドは、任意の数のしきい値を基準として測定され得る予め決定される時間ピリオドであってよい。
【００８０】
例示的な実施形態のうちの幾つかによると、上記通信信号は、無線デバイスによって行われるＲＡＵ又はＴＡＵの手続中に受信されるコンテキスト応答であり得る。この例示的な実施形態において、上記通信信号は、無線デバイスに以前にサービスしていたセルのＲＡＮ輻輳ステータスを含み得る。この例示的な実施形態によると、通信ノードは、前のＧｎ／Ｇｐ  ＳＧＳＮ１１１ｂ、前のＭＭＥ、又は前のＳ４−ＳＧＳＮである。さらに、この例示的な実施形態によると、モビリティ管理ノードは、新たなＭＭＥ１１５ａ、新たなＧｎ／Ｇｐ  ＳＧＳＮ１１１ａ、又は新たなＳ４−ＳＧＳＮ１１０ａである。この例示的な実施形態については、少なくとも“モビリティ手続中におけるＲＡＮ輻輳ステータス移送”という副題の下に、さらに説明している。
【００８１】
例示的な実施形態のうちの幾つかによると、上記通信信号は、無線デバイス又はネットワークのいずれかによって開始されるサービス要求であり得る。この例示的な実施形態において、上記通信信号は、モビリティ管理ノードに以前に記憶されたカレントＲＡＮ輻輳ステータスを含み得る。この例示的な実施形態によると、通信ノードは、ＲＡＮノード１０２、１０３、１０４である。さらに、この例示的な実施形態によると、モビリティ管理ノードは、Ｇｎ／Ｇｐ  ＳＧＳＮ１１１、１１１ａ、又はＳ４−ＳＧＳＮ１１０、１１０ａである。この例示的な実施形態については、少なくとも“サービス要求中におけるＲＡＮ輻輳ステータス移送”という副題の下に、さらに説明している。
【００８２】
例示的な実施形態のうちの幾つかによると、上記通信信号は、無線デバイス又はネットワークのいずれかによって開始されるサービス要求であり得る。この例示的な実施形態において、上記通信信号は、モビリティ管理ノードに以前に記憶されたカレントＲＡＮ輻輳ステータスを含み得る。この例示的な実施形態によると、通信ノードは、ＲＡＮノード１０２、１０３、１０４である。さらに、この例示的な実施形態によると、モビリティ管理ノードは、Ｇｎ／Ｇｐ  ＳＧＳＮ１１１、１１１ａ、又はＳ４−ＳＧＳＮ１１０、１１０ａである。この例示的な実施形態については、少なくとも“サービス要求中におけるＲＡＮ輻輳ステータス移送”という副題の下に、さらに説明している。
【００８３】
例示的な実施形態のうちの幾つかによると、上記通信信号は、無線デバイスが或る時間ピリオドにわたって接続状態にある間にＲＡＮ輻輳ステータスの変化が生じたという通知であり得る。この例示的な実施形態において、上記通信信号は、無線デバイスに目下サービスしているセルに関連付けられるＲＡＮ輻輳ステータスを含み得る。この例示的な実施形態によると、通信ノードは、ＲＡＮノード１０２、１０３、１０４である。さらに、この例示的な実施形態によると、モビリティ管理ノードは、Ｇｎ／Ｇｐ  ＳＧＳＮ１１０、１１０ａ、又はＳ４−ＳＧＳＮ１１１、１１１ａである。この例示的な実施形態については、少なくとも“ダイナミックＲＡＮ輻輳ステータス更新”という副題の下に、さらに説明している。
【００８４】
例示的な実施形態のうちの幾つかによると、上記通信信号は、無線デバイスがネットワークからデタッチしようとしているという通知であり得る。この例示的な実施形態によると、通信ノードは、ＲＡＮノード１０２、１０３、１０４である。さらに、この例示的な実施形態によると、モビリティ管理ノードは、Ｇｎ／Ｇｐ  ＳＧＳＮ１１０、１１０ａ、又はＳ４−ＳＧＳＮ１１１、１１１ａである。この例示的な実施形態については、少なくとも“デタッチ手続中におけるＲＡＮ輻輳ステータス管理”という副題の下に、さらに説明している。
【００８５】
例示的な実施形態を解説するために、ここでは３ＧＰＰ  ＬＴＥからの専門用語が使用されてきたが、このことが例示的な実施形態の範囲を上述のシステムのみに限定するとみなされるべきではないことに留意されるべきである。ＷＣＤＭＡ、ＷｉＭａｘ、ＵＭＢ、ＷｉＦｉ、及びＧＳＭを含めたその他の無線システムもまた、ここに開示された例示的な実施形態から利益を享受し得る。
【００８６】
ここに提供される例示的な実施形態の説明は、例示の目的のために提示されてきた。当該説明には、網羅的であること、又は、例示的な実施形態を、開示された形そのものに限定することが意図されておらず、上記の教示内容に照らして修正及び変形が可能であり、又は、修正及び変形が、提供された実施形態に対する種々の代替例の実践から獲得されてよい。ここで論じる例は、種々の例示的な実施形態の原理及び特性と、その実際の用途とを解説して、当業者が、企図される特定の使途に適するような、種々の態様において、かつ、種々の修正を伴って、これらの例示的な実施形態を利用することを可能にするために、選択され及び記載された。ここに記載される本実施形態の特徴は、方法、装置、モジュール、システム、及びコンピュータプログラムプロダクトの考え得る全ての組み合わせで組み合わされてよい。ここに提示される例示的な実施形態が、互いに任意に組み合わせて実践されてよいことが理解されるべきである。
【００８７】
“含む（comprising）”という語が、列挙された要素又はステップ以外のその他の要素又はステップの存在を必ずしも除外しないこと、及び、１つの要素の前に付く“ａ”又は“ａｎ”という語が、複数のこのような要素の存在を除外しないことに留意されるべきである。参照符号がいずれも、請求項の範囲を何ら限定しないこと、例示的な実施形態が、ハードウェア及びソフトウェアの双方によって少なくとも部分的に実装されてよいこと、並びに、複数の“手段”、“ユニット”、又は“デバイス”が、ハードウェアの同じアイテムによって表され得ることに、さらに留意されるべきである。
【００８８】
また、ユーザ機器といった専門用語が非限定的であるとみなされるべきであることにも留意されたい。ここで使用される用語であるデバイス又はユーザ機器が、インターネット／イントラネットアクセス、ウェブブラウザ、オーガナイザ、カレンダ、カメラ（例えば、ビデオカメラ及び／若しくは静止画カメラ）、音声レコーダ（例えばマイクロフォン）、並びに／又は全地球測位システム（ＧＰＳ）受信機、のための能力を有する無線電話と；セルラー無線電話をデータ処理と組み合わせ得るパーソナル通信システム（ＰＣＳ）ユーザ機器と；無線電話又は無線通信システムを含み得るパーソナルデジタルアシスタント（ＰＤＡ）と；ラップトップと；通信能力を有するカメラ（例えばビデオカメラ及び／又は静止画カメラ）と；パーソナルコンピュータ、家庭用娯楽システム、テレビなどといった、送受信が可能な任意のその他の演算デバイス又は通信デバイスと、を含むように広く解釈されるべきである。ユーザ機器という用語が、任意の数の接続されたデバイスも含み得ることが理解されるべきである。さらに理解されるべきこととして、“ユーザ機器”という用語は、インターネットアクセス又はネットワークアクセスを有し得る任意のデバイスを定義するように解釈されるものとする。
【００８９】
ここで説明した種々の例示的な実施形態は、方法ステップ又はプロセスの一般的なコンテキストにおいて説明されており、当該方法ステップ又はプロセスは、ネットワーク接続された環境内でコンピュータにより実行される、プログラムコードといった、コンピュータ実行可能命令を含む、コンピュータ読取可能な媒体内で具体化されるコンピュータプログラムプロダクトにより、１つの実施態様で実装されてもよい。コンピュータ読取可能な媒体は、以下のものに限定されないが、読出し専用メモリ（ＲＯＭ）、ランダムアクセスメモリ（ＲＡＭ）、コンパクトディスク（ＣＤ）、デジタル多用途ディスク（ＤＶＤ）などを含めたリムーバブルな及び非リムーバブルな記憶装置を含み得る。一般に、プログラムモジュールは、特定のタスクを実施するか、又は特定の抽象データ型を実装する、ルーチン、プログラム、オブジェクト、コンポーネント、データ構造などを含み得る。コンピュータ実行可能命令、関連付けられるデータ構造、及びプログラムモジュールは、ここに開示される方法のステップを実行するためのプログラムコードの例を表す。このような実行可能命令又は関連付けられるデータ構造の特定のシーケンスは、このようなステップ又はプロセスにおいて説明される機能を実装するための、対応する行為の例を表す。
【００９０】
図面及び明細書において、例示的な実施形態を開示してきた。しかしながら、これらの実施形態に対しては、多くの変形及び修正を行うことができる。従って、具体的な用語が使用されていても、それらは包括的かつ説明的な意味においてのみ使用されており、限定の目的では使用されていない。本実施形態の範囲は、例示的な実施形態の、以下の非限定的な概要によって定義されている。
【図１】
2016525826.tif 000003
【図２】
2016525826.tif 000004
【図３】
2016525826.tif 000005
【図４】
2016525826.tif 000006
【図５】
2016525826.tif 000007
【図６】
2016525826.tif 000008
【図７】
2016525826.tif 000009
【図８】
2016525826.tif 000010
【図９】
2016525826.tif 000011
【図１０】
2016525826.tif 000012
【図１１】
2016525826.tif 000013
【国際調査報告】
2016525826.tif 000014
2016525826.tif 000015
2016525826.tif 000016